(57)【要約】【課題】  本発明は、容器の凹み部に指を掛けて確実に持つことができるラベル付き容器を提供する。【解決手段】  周方向の一部分が内側に凹んだ凹み部４を有する容器２と、この容器２に熱収縮装着された熱収縮性筒状ラベル３と、を備え、熱収縮性筒状ラベル３の一部分５が容器２の凹み部４側に凹んで装着されているラベル付き容器１に係る。前記熱収縮性筒状ラベル３の一部分５の外面には、防滑処理層７が設けられている。【選択図】  図１
2007216984.tif 000002
【特許請求の範囲】
【請求項１】
凹み部を有する容器に熱収縮性筒状ラベルを装着してラベル付き容器を製造する方法であって、熱収縮性筒状ラベルを容器に外嵌し、容器の凹み部に対応する熱収縮性筒状ラベルの一部分を凹み部側へ押圧しつつ加熱することを特徴とするラベル付き容器の製造方法。
【請求項２】
凹み部を有する容器に熱収縮性筒状ラベルを装着してラベル付き容器を製造する方法であって、熱収縮性筒状ラベルを容器に外嵌して熱収縮装着した後、この熱収縮性筒状ラベルのうち少なくとも容器の凹み部に対応する熱収縮性筒状ラベルの一部分を加熱成形可能温度とした状態で、この熱収縮性筒状ラベルの一部分を容器の凹み部側へ押圧することを特徴とするラベル付き容器の製造方法。
【請求項３】
凹み部を有する容器に熱収縮性筒状ラベルを装着してラベル付き容器を製造する方法であって、熱収縮性筒状ラベルを容器に外嵌して熱収縮装着した後、この装着された熱収縮性筒状ラベルのうち容器の凹み部に対応する熱収縮性筒状ラベルの一部分を、容器の凹み部側へ押圧しつつ加熱することを特徴とするラベル付き容器の製造方法。
【請求項４】
前記容器の凹み部と該凹み部に対応する熱収縮性筒状ラベルの一部分との間に、接着剤を介在させる請求項１〜３のいずれかに記載のラベル付き容器の製造方法。
【請求項５】
周方向の一部分が内側に凹んだ凹み部を有する容器と、この容器に熱収縮装着された熱収縮性筒状ラベルと、を備え、前記熱収縮性筒状ラベルの一部分が容器の凹み部側に凹んで装着されていることを特徴とするラベル付き容器。
【請求項６】
前記熱収縮性筒状ラベルの一部分の外面に、防滑処理層が設けられている請求項５記載のラベル付き容器。
【発明の詳細な説明】
【技術分野】
【０００１】
本発明は、凹み部を有する容器に熱収縮性筒状ラベルが装着されたラベル付き容器の製造方法、及びラベル付き容器に関する。
【背景技術】
【０００２】
従来、飲料容器、食品容器、化粧品容器などの様々な容器に、熱収縮性筒状ラベル（筒状シュリンク、シュリンクフィルムなどとも呼ばれる）が装着されている。
かかる熱収縮性筒状ラベルは、容器に外嵌し、所定温度に加熱することにより、容器に装着することができる。
【０００３】
該熱収縮性筒状ラベルが装着される容器は、様々な形状のものが存在する。一般的には、円筒状の胴部と、胴部の上方に連続して次第に小径に形成された肩部と、肩部の上方に設けられた注出部と、を有するボトル型容器（例えば、飲料用のＰＥＴボトルなど）が周知である。
また、例えば、容器の周方向の一部分が内側に凹んだ凹み部の形成された容器も知られている（かかる容器の一例として図２参照）。このような凹み部の形成された容器は、該凹み部に指を嵌め入れることにより凹み部に指を掛けることができるため、持ち運びし易い。従って、該容器は、比較的非力な使用者などを含め多くの使用者にとって使いやすい容器と言える（このような凹み部を有する容器は、ユニバーサルデザイン容器とも言われる）。
【０００４】
ところで、かかる凹み部を有する容器に熱収縮性筒状ラベルを外嵌して加熱することにより、熱収縮性筒状ラベルが熱収縮装着され、ラベル付き容器が得られる。しかしながら、上記凹み部を有する容器に熱収縮性筒状ラベルを熱収縮装着すると、該熱収縮性筒状ラベルが凹み部に沿わず、容器の凹み部が熱収縮性筒状ラベルで覆われるという問題点がある。
具体的には、図８に示すように、凹み部４００は、容器２００の周方向の一部分を内側に凹ませることにより形成されているので、凹み部４００の周方向両端部に、容器の外形線が内側へ向きを変える変曲点４０１が存在する。熱収縮性筒状ラベル３００は、その性質上、熱収縮時、装着される容器の最外側の点又は面に密着しながら収縮するので、凹み部４００の周方向両端部の両変曲点４０１，４０１間に於いて平坦状となって装着される。このように、容器２００の凹み部４００に対応する熱収縮性筒状ラベル３００の一部分が平坦状となって装着されることから、得られるラベル付き容器１００は、熱収縮性筒状ラベル３００を介して容器２００の凹み部４００の凹み形状が現れない。
従って、上記ラベル付き容器１００は、熱収縮性筒状ラベル３００の外面から凹み部４００に指が掛かるように指を当てても、この凹み部４００に対応する熱収縮性筒状ラベル３００が内側に殆ど凹まないことから、凹み部４００に指を掛けて持つことが困難となる。
【発明の開示】
【発明が解決しようとする課題】
【０００５】
そこで、本発明は、凹み部を有する容器とこれに装着された熱収縮性筒状ラベルとを有し、凹み部に指を掛けて持つことができるラベル付き容器の製造方法を提供することを課題とする。凹み部を有する容器とこれに装着された熱収縮性筒状ラベルとを有し、容器の凹み部に指を掛けて持つことができるラベル付き容器を提供することを第２の課題とする。
【課題を解決するための手段】
【０００６】
上記問題点に鑑みて、本発明は、凹み部を有する容器に熱収縮性筒状ラベルを装着してラベル付き容器を製造する方法であって、熱収縮性筒状ラベルを容器に外嵌し、容器の凹み部に対応する熱収縮性筒状ラベルの一部分を凹み部側へ押圧しつつ加熱することを特徴とする。
【０００７】
上記製造方法によれば、容器の凹み部に対応する熱収縮性筒状ラベルの一部分を凹み部側へ押圧しつつ加熱することにより、熱収縮性筒状ラベルが容器の凹み部側に凹んで装着されたラベル付き容器を確実に製造することができる。
得られたラベル付き容器は、熱収縮性筒状ラベルの外面に凹み形状が現れるので、熱収縮性筒状ラベルの外面から凹み部に指を掛けて容易に持つことができる。
また、上記製造方法は、熱収縮性筒状ラベルを装着するために加熱する際、容器の凹み部に対応する熱収縮性筒状ラベルの一部分を凹み部側へ押圧するという簡便な方法で製造できる。つまり、上記製造方法は、熱収縮性筒状ラベルを装着するために加熱するという従来と同様の工程中に於いて、容器の凹み部に対応する熱収縮性筒状ラベルの一部分を凹み部側へ押圧するという要素を付加すればよいので、比較的簡便に上記ラベル付き容器を製造することができる。
【０００８】
また、本発明は、凹み部を有する容器に熱収縮性筒状ラベルを装着してラベル付き容器を製造する方法であって、熱収縮性筒状ラベルを容器に外嵌して熱収縮装着した後、この熱収縮性筒状ラベルのうち少なくとも容器の凹み部に対応する熱収縮性筒状ラベルの一部分を加熱成形可能温度とした状態で、この熱収縮性筒状ラベルの一部分を容器の凹み部側へ押圧することを特徴とする。
【０００９】
上記製造方法は、従来と同様に、熱収縮性筒状ラベルを容器に外嵌して熱収縮装着する。この装着状態では、容器の凹み部に対応する熱収縮性筒状ラベルの一部分は平坦状となっているが、その後、この熱収縮性筒状ラベルのうち少なくとも容器の凹み部に対応する熱収縮性筒状ラベルの一部分を加熱成形可能温度に保持した状態で、この熱収縮性筒状ラベルの一部分を容器の凹み部側へ押圧することにより、熱収縮性筒状ラベルが容器の凹み部側に凹んで装着されたラベル付き容器を確実に製造することができる。
【００１０】
また、本発明は、凹み部を有する容器に熱収縮性筒状ラベルを装着してラベル付き容器を製造する方法であって、熱収縮性筒状ラベルを容器に外嵌して熱収縮装着した後、この装着された熱収縮性筒状ラベルのうち容器の凹み部に対応する熱収縮性筒状ラベルの一部分を、容器の凹み部側へ押圧しつつ加熱することを特徴とする。
【００１１】
上記製造方法は、従来と同様に、熱収縮性筒状ラベルを容器に外嵌して熱収縮装着する。この装着状態では、容器の凹み部に対応する熱収縮性筒状ラベルの一部分は平坦状となっているが、その後、装着された熱収縮性筒状ラベルのうち容器の凹み部に対応する熱収縮性筒状ラベルの一部分を、容器の凹み部側へ押圧しながら加熱することにより、熱収縮性筒状ラベルが容器の凹み部側に凹んで装着されたラベル付き容器を確実に製造することができる。
【００１２】
さらに、本発明の好ましい態様では、上記ラベル付き容器の製造方法に於いて、上記容器の凹み部と該凹み部に対応する熱収縮性筒状ラベルの一部分との間に、接着剤を介在させることを特徴とする。
かかる製造方法によれば、熱収縮性筒状ラベルの一部分を容器の凹み部側へ押圧した際に、該熱収縮性筒状ラベルの一部分と凹み部の外面が接着される。よって、得られたラベル付き容器は、搬送・保管などの流通過程を通じて、熱収縮性筒状ラベルの一部分が凹んだ状態を確実に維持できる。
【００１３】
また、本発明は、周方向の一部分が内側に凹んだ凹み部を有する容器と、この容器に熱収縮装着された熱収縮性筒状ラベルと、を備え、熱収縮性筒状ラベルの一部分が容器の凹み部側に凹んで装着されているラベル付き容器を提供する。
【００１４】
かかるラベル付き容器は、熱収縮性筒状ラベルの一部分が容器の凹み部側に凹んで装着されているので、該熱収縮性筒状ラベルの外面に凹み形状が現れる。よって、該ラベル付き容器は、収縮性筒状ラベルの外面から凹み部に指を掛けて容易に持つことができる。
【００１５】
さらに、本発明の好ましい態様では、上記熱収縮性筒状ラベルの一部分の外面に、防滑処理層が設けられている上記ラベル付き容器を提供する。
かかるラベル付き容器は、凹み部側に凹んでいる熱収縮性筒状ラベルの一部分の外面に防滑処理層が設けられているので、収縮性筒状ラベルの外面から凹み部に指を掛けて持つ際、指と熱収縮性筒状ラベルの摩擦力が大きくなって指が滑り難くなる。よって、使用者が、ラベル付き容器を不用意に落とすことを防止できる。
【発明の効果】
【００１６】
本発明に係るラベル付き容器の製造方法によれば、熱収縮性筒状ラベルを容器の凹み部側に凹ました状態で装着することができ、これによって得られたラベル付き容器は、凹み部に指を掛けて確実に持つことができる。
また、本発明のラベル付き容器は、熱収縮性筒状ラベルの一部分が容器の凹み部側に凹んで装着されているので、凹み部に指を掛けて確実に持つことができる。
【発明を実施するための最良の形態】
【００１７】
以下、本発明について、図面を参照しつつ具体的に説明する。
（ラベル付き容器の構成）
図１に於いて、１は、凹み部４を有する容器２と、該容器２に熱収縮装着された熱収縮性筒状ラベル３と、を備えるラベル付き容器を示す。
該ラベル付き容器１は、熱収縮性筒状ラベル３が容器２の凹み部４を含んで熱収縮装着されており、熱収縮性筒状ラベル３は、その一部分が容器２の凹み部４側に凹んだ状態で装着されている。
【００１８】
具体的には、ラベル付き容器１は、容器２の凹み部４に対応する熱収縮性筒状ラベル３の一部分５（以下、この部分を「凹み部対応部分」という）が、容器２の凹み部４側に凹んで装着されていればよいが、中でも、図１（ｂ）に示すように、該凹み部対応部分５が凹み部４の外面形状にほぼ沿って装着されていることが好ましい。
尚、凹み部４の外面形状は、様々な形態が存在するので、凹み部対応部分５が凹み部４の外面形状と完全に一致することは現実的には困難である。従って、凹み部対応部分５が凹み部４の外面形状にほぼ沿っているとは、凹み部対応部分５が凹み部４の外面形状に沿っている他、凹み部対応部分５が凹み部４の外面に部分的に接し且つ同外面に部分的に離れている状態を含む意味である。
【００１９】
ラベル付き容器１は、少なくとも熱収縮性筒状ラベル３の凹み部対応部分５が、接着剤６を介して容器２の凹み部４の外面に接着されている。接着剤６は、凹み部対応部分５と容器２の凹み部４との層間に部分的に設けられていてもよいが、凹み部対応部分５が凹み部４の外面形状にほぼ沿って装着する場合には、前記層間の略全体に設けられていることが好ましい。該接着剤６としては、感熱接着剤が好ましいが、溶剤型接着剤などの非感熱接着剤を用いることもできる。
このように熱収縮性筒状ラベル３の凹み部対応部分５が、接着剤６を介して接着されていることにより、ラベル付き容器１の流通時などに熱収縮性筒状ラベル３に対して熱が加わっても、凹み部対応部分５が変形して容器２の凹み部４から浮き上がることを防止できる。
【００２０】
また、上記熱収縮性筒状ラベル３の外面には、防滑処理層７が設けられている。この防滑処理層７は、熱収縮性筒状ラベル３の外面全体に設けられていてもよいが、同図（ｂ）に示すように、少なくとも凹み部対応部分５の外面に設けられていることが好ましい。このように凹み部対応部分５の外面に防滑処理層７が設けられていることにより、熱収縮性筒状ラベル３の外面から凹み部４を持った際、指と熱収縮性筒状ラベル３の間の摩擦力が大きくなって指が滑り難くなる。よって、ラベル付き容器１が不用意に手から外れて落ちることを防止できる。
また、防滑処理層７を凹み部対応部分５にのみ設けた場合には、熱収縮性筒状ラベル３のうち凹み部対応部分５以外の部分の滑り性が低下しないため、生産ラインなどでラベル付き容器１同士などの摩擦が生じにくく好ましい。
防滑処理層７としては、例えば、熱収縮性筒状ラベル３の外面に、マットインキ（艶消しインキ）などを塗工することが挙げられる。マットインキとしては、例えば、シリカ、アルミナ、タルク、クレー、酸化チタン、炭酸バリウムなどの無機粒子や、アクリル樹脂、ポリエステル樹脂、ポリエチレン樹脂、メラミン樹脂などの樹脂ビーズなどが配合されたものが好ましい。該マットインキは、例えばグラビア印刷などで塗工される。無機粒子などは、平均粒径が比較的大きいものが好ましく、例えば、平均粒径０．５〜５０μｍ程度のものが配合されていることが好ましい。
【００２１】
また、特に図示しないが、熱収縮性筒状ラベル３の外面のうち、少なくとも凹み部対応部分５の外面が凹凸状に形成されていてもよい。凹凸状にする手段は、エンボス加工が挙げられる。エンボス加工としては、後述するように、網目状又は凹凸の形成された治具８を用いて熱収縮性筒状ラベル３の凹み部対応部分５を凹み部４側へと押圧することが例示され、かかる治具８の押圧により、治具８の押圧部８１の凹凸形状を熱収縮性筒状ラベル３に転写できる。
このように、熱収縮性筒状ラベル３の凹み部対応部分５が凹凸状に形成されていることにより、熱収縮性筒状ラベル３の外面から凹み部４を持った際、指と熱収縮性筒状ラベル３の間の摩擦力が大きくなって指が滑り難くなる。
尚、上記防滑処理層７を設ける及び凹凸状に形成することは、何れも持ち手の滑りを防止する手段であるため、両手段が具備されたラベル付き容器１でもよいし、或いは、何れか一方の手段のみが具備されたラベル付き容器１でもよい。
【００２２】
上記ラベル付き容器１に用いられる容器２は、図２にも示すように、周方向の一部分に内側へ凹んだ部分（凹み部４）を有する。すなわち、容器２は、水平断面に於いて、容器の外形線が内側へ向きを変える一対の変曲点４１，４１が周方向に所定間隔を開けて存在し、該一対の変曲点４１，４１の間に内側へ凹んだ凹み部４が形成されている。尚、図示したように、周方向に２箇所の凹み部４が形成されている容器２に於いては、上記一対の変曲点４１，４１が２箇所存在する。
尚、容器２の凹み部４の形状は、図２に示すものに限られず、例えば、図３（ａ）に示すように、凹み部４の変曲点４１，４１が弧状に形成されているもの、或いは、同図（ｂ）に示すように、凹み部４が内側へ２段に凹んでいるもの、同図（ｃ）に示すように、凹み部４の中央部などに凸部が形成されているものなどが例示される。但し、同図（ｂ）や（ｃ）に於ける凹み部４では、周方向に於いて容器の外形線が内側へ向きを変える点が３箇所以上存在するが、凹み部４の変曲点４１，４１とは、図示した最外側に存在する点４１，４１を意味する。
【００２３】
容器２の形状は、上記凹み部４が少なくとも１箇所形成されているものであれば特に限定されず、従来公知のものを用いることができる。
例えば、図２に示すように、容器２は、底面部２１、この上方に続くコーナ部２２、このコーナ部２２に続き且つ凹み部４の形成された胴部２３、この胴部２３から次第に細くなる肩部２４が形成された態様などを例示できる。この例では、胴部２３の上方側であって、胴部２３の前後面に対向するように、凹み部４がそれぞれ形成されている。
容器２の材質は特に限定されず、例えば、ＰＥＴなどのポリエステル系、ポリエチレン系、ポリプロピレン系などの熱可塑性樹脂、金属、ガラス、陶器など、従来公知の材質である。
また、容器２に充填される充填物は、特に限定されず、飲料、食品、シャンプー、化粧品、洗剤などの液体、粉体など任意である。
【００２４】
次に、上記ラベル付き容器１に用いられる熱収縮性筒状ラベル３は、図４にも示すように、熱収縮性の基材を筒状に成形した筒状体からなる。
該熱収縮性筒状ラベル３は、例えば、上記容器のコーナ部２２、凹み部４を含んだ胴部２３、及び肩部２４にかけて熱収縮装着可能な長さのものが用いられる。該熱収縮性筒状ラベル３は、その凹み部対応部分５が凹み部４の外面にほぼ沿って装着されていると共に、凹み部５以外（コーナ部２２、胴部２３及び肩部２４）に対応する熱収縮性筒状ラベル３の他部分は、これらの最外側の点又は面に密着状に装着されている。
よって、該熱収縮性筒状ラベル３は、容器２のコーナ部２２及び肩部２４に於いて周方向に大きく熱収縮装着され、容器２から外れることはない。
【００２５】
熱収縮性筒状ラベル３は、例えば、基材を筒状にしてその両側端部を重ね合わせ、該重ね合わせ部分を溶剤又は接着剤などで接着（センターシール）することによって筒状に形成されている。
【００２６】
基材は、少なくとも幅方向（筒状に形成した際に於ける周方向。以下同じ）に熱収縮性を有するものであればその材質は特に限定されず、例えば、ポリエチレンテレフタレートなどのポリエステル系樹脂、ポリプロピレンなどのオレフィン系樹脂、ポリスチレン、スチレン−ブタジエン共重合体などのスチレン系樹脂、環状オレフィン系樹脂、塩化ビニル系樹脂などの熱可塑性樹脂からから選ばれる１種、又は２種以上の混合物などからなる合成樹脂製フィルムなどの公知のフィルムを用いることができる。また、熱収縮性を有する２種以上の樹脂が積層された積層フィルムを用いることもできる。さらに、熱収縮性を有するフィルムに発泡樹脂シート等の断熱層やその他の機能層が積層された公知の積層フィルムを用いることもできる。
【００２７】
熱収縮性の基材は、公知の製法で製膜し延伸処理することにより得ることができる。延伸処理は、通常、７０〜１１０℃程度の温度で、幅方向に２．０〜８．０倍、好ましくは３．０〜７．０倍程度で主延伸することにより行われる。さらに、縦方向（筒状に形成した際に於ける縦方向。以下同じ）にも、例えば１．５倍以下の低倍率で延伸処理を行ってもよい。得られた基材は、一軸延伸フィルム又は主延伸方向と直交する方向に若干延伸された二軸延伸フィルムとなる。基材の厚みは、特に限定されないが、通常、２０〜８０μｍ程度のものが用いられる。
【００２８】
基材の熱収縮率としては、熱収縮により容器に密着可能な程度であれば特に限定されないが、通常、幅方向に於ける熱収縮率（９０℃温水中に１０秒間浸漬）は約４０％以上、好ましくは約５０％以上のものが例示される。また、基材は縦方向に若干熱収縮してもよく、かかる縦方向に於ける熱収縮率（９０℃温水中に１０秒間浸漬）は、約−３〜１５％程度のものが例示される。
但し、熱収縮率（％）＝［｛（幅方向（又は縦方向）の元の長さ）−（幅方向（又は縦方向）の浸漬後の長さ）｝／（幅方向（又は縦方向）の元の長さ）］×１００。
【００２９】
尚、基材には、例えば商品名、商標、絵柄デザインなどの公知の意匠印刷がグラビア印刷などによって単色又は多色刷りにて印刷されているが、該意匠印刷は図示しない。
また、熱収縮性筒状ラベル３には、分断用のミシン目などの公知の手段を適宜施してもよい。
【００３０】
上記熱収縮性筒状ラベル３の外面のうち、少なくとも凹み部対応部分５の外面には、図４（ｂ）に示すように、上記防滑処理層７が設けられ、且つ少なくとも凹み部対応部分５の内面には感熱接着剤６が設けられている。
該感熱接着剤６は、加熱よって接着性を発揮する接着剤（接着剤とは、一般に粘着剤と言われているものも含む）であり、例えば、ホットメルト型接着剤、パートコート型感熱接着剤、ディレードタック型感熱接着剤などを用いることができる。
ホットメルト型接着剤は、常温では接着性はないが加熱することによって接着可能となるものであって加熱溶融によって塗工可能な接着剤であり、例えば、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが例示される。
パートコート型感熱接着剤は、ホットメルト型接着剤と同様に加熱によって接着性が生じ、エチレン−酢酸ビニル共重合体などの熱接着性樹脂と粘着付与剤などを有機溶剤などに溶解又は分散させた溶液を、グラビアコーティングなどの印刷によって塗工可能な接着剤であり、塗工後乾燥して使用するものである。
ディレードタック型感熱接着剤は、加熱することによって活性化して接着性が生じ且つ冷却後長時間に亘ってそれが持続するものであってグラビアコーティングなどの印刷によって塗工可能な接着剤であり、例えば、エチレン−酢酸ビニル共重合体、酢酸ビニル−アクリル酸エステル共重合体、合成ゴムなどのベース樹脂に粘着付与剤及び固体可塑剤などが配合されたエマルジョン型などが例示される。これら粘着付与剤としては、ロジン系樹脂、テルペン系樹脂、石油樹脂、フェノール樹脂などが挙げられる。
【００３１】
本発明に於いては、熱収縮性筒状ラベル３の凹み部対応部分５に（即ち、熱収縮性筒状ラベル３に部分的に）容易に塗工できることから、印刷塗工可能な感熱接着剤を用いることが好ましい。また、該感熱接着剤は、熱収縮性筒状ラベル３の熱収縮温度（通常、８０〜１００℃）で接着性を発揮するものを用いることが好ましい。
尚、本実施形態では、熱収縮性筒状ラベル３は予め筒状に成形されているものを例示しているが、本発明では、必ずしも予め筒状に成形されたラベル３を用いる場合に限定されず、容器２に装着時に於いて筒状に成形される熱収縮性筒状ラベル３を用いることもできる。例えば、熱収縮性の基材として縦一軸延伸フィルムを用い、その基材の主延伸方向が容器の周方向となるようにして、熱収縮性の基材の一側端を容器２に貼付し、該基材を容器の周方向に巻き回し、基材の他側端を前記一側端に重ね合わせて貼付することにより、筒状に成形された熱収縮性筒状ラベル３を用いることも可能である。
【００３２】
次に、上記ラベル付き容器１の製造方法の各例について説明する。
＜製造方法１＞
（前工程）
少なくとも凹み部対応部分５の外面に防滑処理層７が設けられ、且つ少なくとも凹み部対応部分５の内面に感熱接着剤６が設けられた熱収縮性筒状ラベル３を準備する。通常、該熱収縮性筒状ラベル３は、複数連続的に繋がった長尺状のラベル連続体の態様で提供される。
【００３３】
（外嵌工程）
該ラベル連続体を所定長さに切断し、１個の熱収縮性筒状ラベル３を得た後、該熱収縮性筒状ラベル３の凹み部対応部分５が容器２の凹み部４に適合するように位置合わせしながら、熱収縮性筒状ラベル３を容器２のコーナー部２２から肩部２４にかけて外嵌する。
尚、予め筒状に成形されていないものを用いる場合には、熱収縮性の基材の主延伸方向を容器の周方向とし、基材の凹み部対応部分５が容器２の凹み部４に適合するように位置合わせしながら、基材の一側端を容器２に貼付した後、巻き回し、基材の他側端を前記一側端に重ね合わせて貼付することにより、熱収縮性筒状ラベル３を外嵌する。
【００３４】
（押圧工程）
続いて、図５及び図６に示すように、熱収縮性筒状ラベル３の凹み部対応部分５の外面から、治具８を押し当て、凹み部対応部分５を容器２の凹み部４側へと押圧する。該治具８の押圧によって、図５（ｂ）に示すように、熱収縮性筒状ラベル３の凹み部対応部分５が、容器２の凹み部４の外面に接する。
具体的には、この治具８は、例えば、図６に示すように、対向配置された一対のエンドレス状の回転駆動装置９に所定間隔を開けて複数固定されており、該回転駆動装置９は、容器２を搬送する方向に同期して回転可能である。
この回転駆動装置９の上流側から、熱収縮性筒状ラベル３が外嵌された容器を供給する。供給された容器２は、一対の回転駆動装置９に具備された治具８によって、容器２の両側から熱収縮性筒状ラベル３の凹み部対応部分５が押圧される。かかる一対の治具８の押圧により、容器２が回転駆動装置９に保持される。該容器２は、回転駆動装置９に保持された状態で、後述する加熱工程へと送られる。
尚、図６では、熱収縮性筒状ラベル３の装着状態及び治具８による押圧を判りやすく図示するため、回転駆動装置９の搬送方向に容器２を横倒し状態で表しているが、現実に実施する場合には、一般に、容器２は、立てた状態で搬送される。
【００３５】
治具８は、その押圧部８１が容器２の凹み部４の外面形状と略同形状に形成されているもの、或いは、凹み部４に押圧された際に弾性変形などによって凹み部４の外面形状と略同形状に変形可能なものである。治具８は、押圧部８１自身が加熱変形しないもの（耐熱性及び強度を有するもの）が用いられる。このような押圧部８１としては、例えば、耐熱性のある樹脂やゴム、ステンレスなどの金属などを用いることが例示される。押圧部８１が容器２の凹み部４の外面形状と略同形状の治具８を用いることにより、凹み部対応部分５を凹み部４の外面形状にほぼ沿って装着できるので好ましい。もっとも、治具８は、必ずしも容器２の凹み部４の外面形状と略同形状に形成されているものに限られず、凹み部４内へと押し込むことができるものであれば、凹み部４の外面形状と異なる形状でもよい。
また、治具８は、例えば、通気性のある部材、例えば、円筒状の連結部材８２を介して回転駆動装置９に固定されている。
治具８の押圧部８１の表面は、熱収縮性筒状ラベル３の凹み部対応部分５を凹凸状に形成できることから、網目状又は凹凸状に形成されていることが好ましい。また、治具８の押圧部８１は、通気性のある部材で形成されていることが好ましい。このような治具８の押圧部８１としては、図７に示すように、孔部８３を有する部材、例えば、網目部材８１（例えば、金属網等）にて形成したものが例示される。かかる通気性のある押圧部８１を有する治具８によれば、熱収縮性筒状ラベル３の凹み部対応部分５を凹凸状に形成できる上、該凹み部対応部分５の加熱又は冷却をより早く行えるので好ましい。網目部材８１の網目の大きさは特に限定されず、例えば、ＪＩＳ  Ｚ  ８８０１−１に於ける目開き３８μｍ（線径３０μｍ）〜５．６ｍｍ（線径１．６ｍｍ）程度のものが好ましい。
また、通気性のある治具８の押圧部８１として、弾性変形可能な半球状の耐熱性のゴムに多数の孔を形成したものなどを用いることもできる。
【００３６】
（加熱工程）
熱収縮性筒状ラベル３の凹み部対応部分５を治具８にて押圧した状態で、容器２は、回転駆動装置９により加熱ゾーンへと送られる。加熱ゾーンでは、熱収縮性筒状ラベル３の全体を所定温度（ラベルの熱収縮温度）に加熱する。加熱方法は、従来と同様に、熱風（例えば、１００〜２００℃）の吹き付けなどで行うことができる。上記のように、治具８の押圧部８１は、通気性があるので、押圧部８１の孔部８３を通じて熱風などが熱収縮性筒状ラベル３の凹み部対応部分５に作用し、この部分５を温めることができる。但し、凹み部対応部分５に於ける熱風などの加熱媒体の作用は、凹み部対応部分５の周囲に比べると小さいため、次の冷却工程を短時間で行うことができる。
加熱工程に於いて、熱収縮性筒状ラベル３は、容器２の外形状にほぼ沿って熱収縮し、凹み部対応部分５も若干熱収縮するが、この部分５は治具８で押圧されているので、凹み部４にほぼ沿った状態が維持される。
また、加熱時、凹み部対応部分５の内面に設けられた感熱接着剤６が活性化し、容器２の凹み部４に対して接着性を発揮する。
【００３７】
（冷却工程）
続いて、凹み部対応部分５を治具８にて押圧したままで、容器２は、回転駆動装置９により冷却ゾーンへと送られる。冷却ゾーンでは、熱収縮性筒状ラベル３及び治具８を室温まで冷却する。冷却は、自然冷却でもよいが、時間短縮のため、冷風などを吹き付けて強制的に温度を下げることが好ましい。
熱収縮性筒状ラベル３及び治具８が冷却されると、凹み部対応部分５は、凹み部４の外面形状にほぼ沿った形状に固定されると共に、感熱接着剤６を介して容器２の凹み部４に接着する。
熱収縮性筒状ラベル３が、概ね室温にまで冷えた後、治具８を外すことにより、熱収縮性筒状ラベル３が容器２の凹み部４にほぼ沿って装着されたラベル付き容器１を得ることができる。
【００３８】
＜製造方法２＞
次に、製造方法２について説明する。但し、上記製造方法１と同様の構成については説明を省略し、用語及び図番を援用することがある。
（前工程、外嵌工程）
製造方法１と同様の、前工程及び外嵌工程を行う。
【００３９】
（加熱工程）
容器２に外嵌された熱収縮性筒状ラベル３の全体を所定温度（ラベルの熱収縮温度）に加熱する。尚、製造方法２では、前工程から加熱工程までは、従来の熱収縮性筒状ラベルの装着方法と同様である。加熱された熱収縮性筒状ラベル３は、容器２の外形状に沿って熱収縮するが、凹み部対応部分５は、凹み部４に沿わず、平坦状となって装着される。
【００４０】
（押圧工程）
上記加熱工程で加熱された熱収縮性筒状ラベル３が温かい間に、治具８を用いて、該ラベル３の凹み部対応部分５を容器２の凹み部４側へと押圧する。つまり、加熱された熱収縮性筒状ラベル３が冷めきらず、加熱工程での余熱によって熱収縮性筒状ラベル３が加熱成形可能温度となっている間に、治具８を用いて凹み部対応部分５を凹み部４側へと押圧する。
加熱成形可能温度は、熱収縮性筒状ラベル３を構成する基材の収縮開始温度（基材を温水に浸した際に基材が主延伸方向に１％以上収縮する該温水の温度）以上が好ましい。具体的には、加熱成形可能温度は、６０〜１２０℃程度が好ましく、６５〜１００℃程度がより好ましい温度である。
加熱成形可能な温度に昇温している熱収縮性筒状ラベル３は、治具８の押圧により、その凹み部対応部分５が凹み部４にほぼ沿って密着する。また、感熱接着剤６も活性化しているので、容器２の凹み部４に対して接着可能である。
尚、加熱工程から押圧工程までの間に、熱収縮性筒状ラベル３の温度が加熱成形可能温度以下に低下している又は感熱接着剤６の温度が低下している場合には、治具８の押圧前に、凹み部対応部分５を部分的に加熱してもよい。
【００４１】
（冷却工程）
続いて、上記製造方法１と同様に、凹み部対応部分５を治具８にて押圧したままで、熱収縮性筒状ラベル３及び治具８を室温まで冷却する。
熱収縮性筒状ラベル３及び治具８が冷却されると、凹み部対応部分５は、凹み部４の外面形状にほぼ沿った形状に固定されると共に、感熱接着剤６を介して容器２の凹み部４に接着する。
熱収縮性筒状ラベル３が、概ね室温にまで冷えた後、治具８を外すことにより、上記ラベル付き容器１を得ることができる。
【００４２】
＜製造方法３＞
次に、製造方法３について説明する。但し、上記製造方法１と同様の構成については説明を省略し、用語及び図番を援用することがある。
（前工程、外嵌工程）
製造方法１と同様の、前工程及び外嵌工程を行う。
【００４３】
（加熱工程）
容器２に外嵌された熱収縮性筒状ラベル３の全体を所定温度（ラベルの熱収縮温度）に加熱する。尚、製造方法３も、前工程から加熱工程までは、従来の熱収縮性筒状ラベルの装着方法と同様である。加熱された熱収縮性筒状ラベル３は、容器２の外形状に沿って熱収縮するが、凹み部対応部分５は、凹み部４に沿わず、平坦状となって装着される。
【００４４】
（押圧工程）
次に、熱収縮性筒状ラベル３の加熱成形可能温度にまで加熱された治具８を用いて、上記加熱工程で装着された熱収縮性筒状ラベル３の凹み部対応部分５を容器２の凹み部４側へと押圧する。
本製造方法３に於いては、この治具８がラベル加熱成形可能温度にまで加熱されているので、熱収縮性筒状ラベル３の凹み部対応部分５が変形し、凹み部４にほぼ沿って密着する。また、この治具８の熱により、感熱接着剤６も活性化される。
【００４５】
（冷却工程）
続いて、上記製造方法１と同様に、凹み部対応部分５を治具８にて押圧したままで、熱収縮性筒状ラベル３及び治具８を室温まで冷却する。
熱収縮性筒状ラベル３及び治具８が冷却されると、凹み部対応部分５は、凹み部４の外面形状にほぼ沿った形状に固定されると共に、感熱接着剤６を介して容器２の凹み部４に接着する。
熱収縮性筒状ラベル３が、概ね室温にまで冷えた後、治具８を外すことにより、上記ラベル付き容器１を製造することができる。
【００４６】
＜製造方法の変形例１＞
上記製造方法２の押圧工程及び製造方法３の押圧工程を組み合わせることもできる。例えば、製造方法２の押圧工程に於いて、治具８を、熱収縮性筒状ラベル３の加熱成形可能温度にまで加熱し、この温められた治具８を用いて、熱収縮性筒状ラベル３の凹み部対応部分５を押圧してもよい。かかる変形例によれば、熱収縮性筒状ラベル３の凹み部対応部分５を、より確実に凹み部４の形状にほぼ沿って変形させることができるので好ましい。
【００４７】
＜製造方法の変形例２＞
上記製造方法２又は製造方法３の加熱工程に於いて、予め熱収縮性筒状ラベル３の凹み部対応部分５に脱気用の孔が形成された熱収縮性筒状ラベル３を用いてもよい。かかる脱気用の孔は、凹み部対応部分５の外面から内面に貫通する針穴状の穿設孔、線状の切込部などが例示される。尚、線状の切込部を形成する場合には、熱収縮時に切込部が拡がらないことから、熱収縮性筒状ラベル３の周方向（主延伸方向）と平行に形成することが好ましい。
このように脱気用の孔が形成された熱収縮性筒状ラベル３を用いることにより、上記製造方法２又は製造方法３の加熱工程後、治具８を用いて凹み部対応部分５を凹み部４側へ押圧した際、凹み部４に残った空気を脱気用の孔を通じて外部へと逃がすことができる。かかる変形例は、治具８の押圧時に残存空気を逃がすことができるので、凹み部対応部分を凹み部にほぼ沿って確実に密着させることが可能となるので好ましい。
【００４８】
＜製造方法の変形例３＞
また、上記製造方法１〜３では、予め感熱接着剤６が設けられた熱収縮性筒状ラベル３を用いているが、感熱接着剤の設けられていない熱収縮性筒状ラベル３を用いることもできる。かかる熱収縮性筒状ラベル３を用いる場合には、凹み部対応部分５を容器２に接着することができないが、形状固定された凹部対応部分５は、凹み部４にほぼ沿って装着される。もっとも、ラベル付き容器１を製造後、熱が加わることで、凹み部４にほぼ沿わせた熱収縮性筒状ラベル３の凹み部対応部分５が浮き上がることも考えられる。かかる浮き上がりを防止する点から、容器２の凹み部４と凹み部対応部分５は、接着剤を介して接着されていることが好ましい。
そして、接着剤が設けられていない熱収縮性筒状ラベルを用いつつ、上記浮き上がりを防止する場合には、例えば、熱収縮性筒状ラベル３を容器２に外嵌する直前に、容器２の凹み部４の外面に、接着剤（感熱接着剤、溶剤型接着剤などの各種接着剤）を塗布する接着剤塗布工程を行うことで、凹み部対応部分５の内面と容器２の凹み部４の層間に接着剤が介在し、両者を接着させることができる。
【図面の簡単な説明】
【００４９】
【図１】（ａ）は、本発明のラベル付き容器の一実施形態を示す正面図、（ｂ）は、同Ａ−Ａ線水平断面図。
【図２】容器の一実施形態を示し、（ａ）は、その正面図、（ｂ）は、同左側面図、（ｃ）は、同Ｂ−Ｂ線水平断面図。
【図３】（ａ）〜（ｃ）共に、容器の凹み部の他の形態を示す一部省略断面図。
【図４】熱収縮性筒状ラベルの一実施計形態を示し、（ａ）は、その斜視図、（ｂ）は、同Ｃ−Ｃ線水平断面図。
【図５】製造方法１の押圧工程の一例を示し、（ａ）は、治具を押し入れる状態を示す一部省略参考側面図、（ｂ）は、治具で押圧した状態を示す一部省略水平断面図。
【図６】製造方法１の押圧工程、加熱工程及び冷却工程の一例を示す参考平面図。
【図７】治具の一例を示し、（ａ）は、その側面図、（ｂ）は、Ｄ−Ｄ線断面図。
【図８】従来のラベル付き容器を示し、（ａ）は、その正面図、（ｂ）は、同Ｅ−Ｅ線断面図。
【符号の説明】
【００５０】
１…ラベル付き容器、２…容器、３…熱収縮性筒状ラベル、４…容器の凹み部、５…容器の凹み部に対応する熱収縮性筒状ラベルの一部分（凹み部対応部分）、６…接着剤、７…防滑処理層、８…治具、８１…治具の押圧部
【図１】
2007216984.tif 000003
【図２】
2007216984.tif 000004
【図３】
2007216984.tif 000005
【図４】
2007216984.tif 000006
【図５】
2007216984.tif 000007
【図６】
2007216984.tif 000008
【図７】
2007216984.tif 000009
【図８】
2007216984.tif 000010